(57)【要約】【課題】目の前に現れたゴキブリ等の害虫を手や床、壁、家具等を汚さずに迅速に捕獲でき、捕獲した害虫の後始末も容易で、更に消耗品の費用がほとんど掛からない害虫捕獲器を提供する。【解決手段】ゴキブリ等の害虫を捕獲するための害虫捕獲器であって、略四角形の開口部を有する導入部１に、逆走防止部材７、捕獲用袋５を取り付けるための捕獲用袋取り付け部材２、回転自在で任意の姿勢を保持することのできるヒンジ部３を有する柄４を設ける。【選択図】  図１
2004208670.tif 000002
【特許請求の範囲】
【請求項１】
ゴキブリ等の害虫を捕獲するための害虫捕獲器であって、一端に略四角形の開口部を有する筒状の導入部を備え、前記導入部には、櫛歯状の切り込みを入れた２枚のプラスチックフィルムを相互の一端を接触させつつ傾斜して配置することにより構成される逆走防止部材と、前記逆走防止部材を取り囲むように配置された筒状の捕獲用袋取り付け部材と、回転自在で任意の姿勢を保持することのできるヒンジ部を有する柄とを設けたことを特徴とする害虫捕獲器。
【発明の詳細な説明】
【０００１】
【発明の属する技術分野】
本発明は、ゴキブリ等の害虫を対象とした害虫捕獲器に関する。さらに詳しくは、害虫を手や床、壁、家具等を汚さずに捕獲でき、捕獲後の害虫の後始末が容易で、消耗品の費用がほとんど掛からない害虫捕獲器に関する。
【０００２】
【従来の技術】
従来の害虫捕獲器には、例えば特許公開２００２−３４４２０に記載されているように、粘着シートを取り付けた枠に柄を取り付け、害虫を粘着シートに貼り付けて捕獲する捕獲器と、特許公開２００１−９５４５６に記載されているように、捕獲器を掃除機の吸引口にはめ込み、掃除機の吸引力を利用して、害虫を捕獲器へ吸い込む方式の捕獲器とが知られている。
【０００３】
粘着シートを取り付けた枠に柄を取り付け、害虫を粘着シートに貼り付けて捕獲する捕獲器の場合には、粘着シートに貼り付いた害虫を始末する際に、粘着シートを剥がして、害虫を粘着シートと共に破棄することとなるが、その際害虫は剥き出しの状態であるために、その作業中に、手足や触覚をばたつかせている害虫に触れてしまうこともあり、後始末が容易なものではない。
【０００４】
捕獲器を掃除機の吸引口にはめ込み、掃除機の吸引力を利用して、害虫を捕獲器へ吸い込む方式の捕獲器は、害虫を発見してから、吸引するまでには、掃除機を保管場所から取り出し、吸引ノズルを組み立て、捕獲器を吸引口にはめ込んだ後、掃除機のスイッチを入れるといった段取りが必要であり、段取り中に害虫を取り逃がす可能性が高い。
【０００５】
また、上述した２つの捕獲器共に、専用の粘着シートや掃除機の吸引口にはめ込むための専用の捕獲器が必要となり、これらは使い捨てのために、換え用の粘着シートや捕獲器を準備しておかなければならない手間と、それに伴う費用が発生するという問題がある。
【０００６】
【発明が解決しようとする課題】
本発明は、上述した事情に鑑みてなされたもので、ゴキブリ等の害虫を手や床、壁、家具等を汚さずに迅速に捕獲でき、捕獲した害虫の後始末も容易で、更に、消耗品の費用がほとんど掛からない害虫捕獲器を提供することを課題とする。
【０００７】
【課題を解決するための手段】
本発明の害虫捕獲器は、一端に略四角形の開口部を有する筒状の導入部を備え、前記導入部には、櫛歯状の切り込みを入れた２枚のプラスチックフィルムを相互の一端を接触させつつ傾斜して配置することにより構成される逆走防止部材と、前記逆走防止部材を取り囲むように配置され、任意の捕獲用の袋を輪ゴムやひも等で取り付けることのできる筒状の捕獲用袋取り付け部材と、回転自在で任意の姿勢を保持することのできるヒンジ部を有する柄とが取り付けられている。このような構成であるために、目の前に現れた害虫を手や床、壁、家具等を汚さずに迅速に捕獲でき、捕獲した害虫の後始末も容易で、専用の粘着シートや捕獲器等の消耗品の費用がほとんど掛からないことを特徴とする。
【０００８】
【発明の実施の形態】
図により本発明の実施の形態を説明する。図１は本発明の害虫捕獲器の一例を示す図で、図１（Ａ）は使用状態を示す斜視図、図１（Ｂ）は内部の構造を説明するために壁の一部を切り取った図である。図中、１は導入部、１１は入口側開口部、１２は出口側開口部、２は捕獲用袋取り付け部材、３はヒンジ部、４は柄、５は捕獲用袋、６は輪ゴム、７は逆走防止部材、７１はプラスチックフィルムを示す。
【０００９】
導入部１は、略四角形の入口側開口部１１を有し、入口側開口部１１から出口側開口部１２に向かって順次断面積が減少する筒状体であって、出口側開口部１２には逆走防止部材７が設けられている。入口側開口部１１の形状を略四角形とすることで、部屋の隅を這い回る害虫も取り逃がすことなく捕獲できる。
【００１０】
逆走防止部材７は図１（Ｂ）に示すように、櫛歯状の切り込みを入れた２枚のプラスチックフィルム７１を、相互の一端を接触させつつ傾斜して配置したものである。逆走防止部材７を構成するプラスチックフィルム７１の具体的寸法は、捕獲の対象となる害虫の大きさに応じて、適宜設定されるものであるが、例えば、一般的なゴキブリ、蜘蛛、蝿等を捕獲するためには、厚みが０．０５ｍｍ〜０．２ｍｍ程度のポリエチレンテレフタレート等のプラスチックフィルムを用いて、３ｍｍ〜７ｍｍ程度の間隔で、２０ｍｍ〜４０ｍｍ程度の長さで切り込みを入れた形状が好ましい。さらに前記２枚のプラスチックフィルム７１は相互の一端を接触させつつ、３０°〜９０°程度の角度をもって配置するのが好ましい。このような形状とすることで、捕獲する害虫が逆走防止部材７を通過する際には、害虫はプラスチックフィルム７１をその大きさに応じた必要最小限の大きさだけ自重で押し広げればよいために、小さな害虫から比較的大きな害虫まで、通過は容易であるが、逆方向からプラスチックフィルム７１を押し広げて逃げ出すことは非常に難しい。
【００１１】
捕獲用袋取り付け部材２は、筒状で逆走防止部材７を取り囲むように取り付けられている。捕獲用袋５は捕獲用袋取り付け部材２に輪ゴム６またはひも等を用いて取り付けられる。また、捕獲用袋取り付け部材２は、逆走防止部材７を取り囲むように設けられていることにより、プラスチックフィルム７１で構成される逆走防止部材７を保護する働きも有する。
【００１２】
ヒンジ部３は導入部１に設けられており、ヒンジ部３に柄４が回転自在で、かつ導入部１に対して、回転範囲内での任意の姿勢を保持できるように構成されている。この結果、床、壁、天井等を這い回る害虫を捕獲する際に、害虫捕獲器を最適な姿勢に保つことができ、害虫の捕獲が容易となる。
【００１３】
捕獲用袋５は、捕獲用袋取り付け部材２に取り付けるのに十分な開口部の大きさを有する袋であれば、任意の袋を選定することができ、例えばスーパー等で買い物をした際に使われる袋、特に冷凍食品や生ものを入れるために利用される透明な袋等を再利用すると好適である。
【００１４】
本発明の害虫捕獲器を用いて害虫の捕獲を行う手順は、捕獲用袋取り付け部材２に捕獲用袋５を輪ゴム６やひも等で取り付け、導入部１に対して柄４を適切な姿勢に保った後、害虫を導入部１の入口側開口部１１からすくい上げるように導き入れ、逆走防止部材７を通して捕獲用袋５に入れる。捕獲後、捕獲用袋５を捕獲用袋取り付け部材２から取り外し、捕獲用袋５の口を縛って捨てる。
【００１５】
本発明の害虫捕獲器を用いて害虫の捕獲を行った結果、ゴキブリ以外にも、蜘蛛や蝿等の捕獲にも適しており、捕獲後の害虫の後始末も害虫に全く手を触れることなく容易に行うことができた。
【００１６】
【発明の効果】
上述したように、本発明によれば、目の前に現れたゴキブリ等の害虫を手や床、壁、家具等を汚さずに迅速に捕獲でき、捕獲した害虫の後始末も容易で、更に、消耗品の費用がほとんど掛からない害虫捕獲器を提供することができる。
【図面の簡単な説明】
【図１】本発明の具体例を示す図である。
【符号の説明】
１…導入部、１１…入口側開口部、１２…出口側開口部、２…捕獲用袋取り付け部材、３…ヒンジ部、４…柄、５…捕獲用袋、６…輪ゴム、７…逆走防止部材、７１…プラスチックフィルム。
【図１】
2004208670.tif 000003